(57)【特許請求の範囲】
【請求項１】
操作パネルに設けられた操作部材の操作位置を表示する操作位置表示装置であって、
前記操作パネルの操作位置表示箇所には、透孔が形成され、
前記操作位置に応じた表示が施された表示面を有すると共に、該表示面の背面側から突設されて前記透孔に挿入される連結軸部を有する表示部材と、
前記操作パネルの前面から前記透孔に挿入されて操作パネルの裏面側へ突出する前記連結軸部に係止連結されると共に、操作パネル裏面から離れる方向に付勢する支持部材とを備え、
前記支持部材は、前記操作パネルに対して一定姿勢を維持するように配設されると共に、前記表示部材の前記連結軸部は、前記支持部材に係合して、前記表示部材が、前記連結軸部周りに回動するのを阻止する回り止め係合部を有する、
ことを特徴とする操作位置表示装置。
【請求項２】
前記透孔を操作パネルにおける複数の操作位置表示箇所に形成し、各透孔にそれぞれ挿入装着した複数の表示部材の各連結軸部に共通の前記支持部材を係止連結する、
請求項１に記載の操作位置表示装置。
【請求項３】
前記支持部材に一体形成した弾性アームを、前記操作パネルの裏面に弾性変形状態で当接させて、支持部材を操作パネル裏面から離れる方向に付勢する、
請求項１または２に記載の操作位置表示装置。
【請求項４】
操作パネル背部で発せられるモニタ光を操作パネル前面に透過させる透過部材を、前記操作パネルに形成した透孔に挿入し、前記透過部材の連結軸部を、操作位置表示用の前記表示部材の連結軸部を係止連結する前記支持部材で係止連結する、
請求項１ないし３のいずれかに記載の操作位置表示装置。
【請求項５】
前記請求項１ないし４のいずれかに記載の操作位置表示装置を備える、
ことを特徴とするガス器具。
【請求項６】
前記操作パネルが、点火/消火および火力調節の操作を行う操作パネルであり、
鋼板表面に琺瑯処理を施したトッププレートの一部に前記操作パネルを一体形成してある、
請求項５に記載のガス器具。
【発明の詳細な説明】
【技術分野】
【０００１】
本発明は、操作つまみ等の操作位置を表示する操作位置表示装置、および、それを備えたガスコンロや湯沸し器などのガス器具に関する。
【背景技術】
【０００２】
ガス器具の一例であるガスコンロとしては、例えば、特許文献１に示されているように、トッププレートの一部に操作パネルを一体形成し、ここに点火/消火および火力調節を行う操作つまみを回動操作可能に装備するよう構成したドロップイン式の一口型コンロが知られている。
【先行技術文献】
【特許文献】
【０００３】
【特許文献１】特開平１１−２５７６７０号公報
【発明の概要】
【発明が解決しようとする課題】
【０００４】
操作つまみを備えた操作パネルにおいては、その操作位置を示す文字やマークなどの表示を設けることになる。その表示手段の一例として、複数の操作位置を示す表示を付した大型の表示プレートを準備し、この表示プレートを操作パネルの前面に取り付けることが行われている。
【０００５】
この表示プレートとしては、裏面の複数適所から連結軸を一体突設した樹脂成型品が利用され、操作パネルに形成した複数の取付け孔に表示プレートの連結軸を挿入し、パネル裏面側に突出した連結軸に、爪付きナット（スピードナット）を外嵌圧入することで、操作パネルの表面に沿って表示プレートを固定するようにしている。
【０００６】
しかしながら、上記従来例の表示プレートは大きい樹脂成型品であるため部品コストが嵩むきらいがあると共に、表示プレートの取り付けに爪付きナットを操作する専用の工具が必要で、組み付けに手数を要するものであった。また、連結軸への爪付きナットの外嵌圧入が不十分であると、表示プレートが操作パネルに対して浮き上がったりガタ付くおそれがあり、不具合なく組み付けを行うために慎重な操作が要求され、組み立て作業能率の向上を阻む一因となるものであった。
【０００７】
本発明は、このような実情に着目してなされたものであって、大型の表示プレートを用いない簡単な構成で的確に操作位置の表示を行うことができるようにすることを目的とする。
【課題を解決するための手段】
【０００８】
上記目的を達成するために、本発明では次のように構成している。
【０００９】
（１）本発明に係る操作位置表示装置は、操作パネルに設けられた操作部材の操作位置を表示する操作位置表示装置であって、前記操作パネルの操作位置表示箇所には、透孔が形成され、前記操作位置に応じた表示が施された表示面を有すると共に、該表示面の背面側から突設されて前記透孔に挿入される連結軸部を有する表示部材と、前記操作パネルの前面から前記透孔に挿入されて操作パネルの裏面側へ突出する前記連結軸部に係止連結されると共に、操作パネル裏面から離れる方向に付勢する支持部材とを備え、前記支持部材は、前記操作パネルに対して一定姿勢を維持するように配設されると共に、前記表示部材の前記連結軸部は、前記支持部材に係合して、前記表示部材が、前記連結軸部周りに回動するのを阻止する回り止め係合部を有する。
【００１０】
本発明によると、操作パネルの前面から表示部材の連結軸部を挿入して、操作パネル裏面側で連結軸部に支持部材を係止するだけの工具を用いない簡単な操作で、挿入装着した表示部材を支持部材で係止連結して操作パネル裏面側へ引き込み付勢し、操作パネルの板厚に多少の差異があっても、表示部材の表示面側を操作パネルの前面に密着させてガタ付きなく取り付けることができる。
【００１１】
また、連結軸部に形成した回り止め係合部を支持部材に係合することで、支持部材が、操作パネルに対して一定姿勢を維持すると共に、該支持部材に係合する表示部材が勝手に連結軸部周りに自転するようなことなく、表示部材を正しく所定の向きに維持することができる。
【００１２】
従って、操作パネルに形成する透孔は連結軸部を回動可能に挿通する単なる丸孔でよく、操作パネルの打ち抜き孔加工に用いるパンチ金型は安価に製作できる丸形ですむ。
【００１３】
さらに、表示部材は支持部材で係止連結しているだけであるので、支持部材による係止を解除することで表示部材を簡単に取り外すことができ、損傷したり汚損した表示部材の取替えも容易となる。しかも、支持部材は再使用することができる。また、連結軸部と支持部材とは支持部材の厚さに応じて大きい面積で係合させることができるので、回り止め機能を高いものにすることができる。
【００１４】
（２）本発明の他の実施態様では、前記透孔を操作パネルにおける複数の操作位置表示箇所に形成し、各透孔にそれぞれ挿入装着した複数の表示部材の各連結軸部に共通の前記支持部材を係止連結する。
【００１５】
この実施態様によると、複数箇所で連結軸部に係止連結した支持部材は、全体が操作パネルに対して一定姿勢に固定されたものとなるので、この支持部材に表示部材の回り止め係合部を係合させることによって、表示部材は、確実に回り止めされることになる。
また、単一の支持部材を表示部材の数に対して共用でき、部品コストの節減および組み付け手数の簡素化に有効となる。
【００１６】
（３）本発明の更に他の実施態様では、前記支持部材に一体形成した弾性アームを、前記操作パネルの裏面に弾性変形状態で当接させて、支持部材を操作パネル裏面から離れる方向に付勢するものである。
【００１７】
この実施態様によると、支持部材に一体成形した弾性アームによって、支持部材を操作パネル裏面から離れる方向に付勢して、表示部材の表示面側を操作パネルの前面に密着させることができる。
【００１８】
（４）本発明の他の実施態様では、操作パネル背部で発せられるモニタ光を操作パネル前面に透過させる透過部材を、前記操作パネルに形成した透孔に挿入し、前記透過部材の連結軸部を、操作位置表示用の前記表示部材の連結軸部を係止連結する前記支持部材で係止連結する。
【００１９】
この実施態様によると、透過部材を係止連結する専用の支持部材が不要となり、部品点数および部品コストの節減に一層有効となる。
【００２０】
（５）本発明に係るガス器具は、本発明の操作位置表示装置を備えるものである。
【００２１】
本発明のガス器具によると、例えば、点火/消火や火力調節等を行う操作つまみの近くに表示部材が配置されることになり、操作つまみの頻繁な操作によって手指が表示部材に触れる機会も多くなるが、所定の向きに強固に装着された表示部材はズレ動くことがなく、常に所定の向きでの表示を行うことができる。
【００２２】
（６）本発明の他の実施態様では、前記操作パネルが、点火/消火および火力調節の操作を行う操作パネルであり、鋼板表面に琺瑯処理を施したトッププレートの一部に前記操作パネルを一体形成している。
【００２３】
この実施態様によると、琺瑯処理の具合によって操作パネル厚さに多少の差異が生じても、パネル裏面側に向けて引き込み付勢される表示部材をパネル表面に確実に密着させてガタ付きなく取り付けることができる。
【発明の効果】
【００２４】
このように、本発明によれば、大型の表示プレートを用いることなく、操作パネルの操作位置表示箇所に小さな表示部材をパネル面から浮き上がったり、ガタ付くようなことなく、かつ、所定の向きに簡便に取付けて所要の表示を行うことができる。
【図面の簡単な説明】
【００２５】
【図１】一口型ガスコンロの斜視図である。
【図２】図１のガスコンロの正面図である。
【図３】操作位置表示装置の正面図である。
【図４】表示部材の係止連結構造を示す分解斜視図である。
【図５】表示部材の係止連結構造を示す断面図である。
【図６】図５におけるｘ−ｘ断面図である。
【図７】透過部材の係止連結構造を示す断面図である。
【図８】表示部材を裏面側からみた背面図である。
【図９】（ａ）図８におけるａ−ａ断面図、（ｂ）図８におけるｂ−ｂ断面図である。
【図１０】支持部材を表側から見た正面図である。
【図１１】支持部材の上面図である。
【図１２】支持部材を裏側から見た背面図である。
【発明を実施するための形態】
【００２６】
以下、本発明の実施形態を図面に基づいて説明する。
【００２７】
図１及び図２に、本発明の一実施形態の操作位置表示装置を備えたガス器具の一例である一口型のガスコンロが示されている。このガスコンロは、箱形に形成されたコンロ本体１の上端に矩形パレット状のトッププレート２を連結し、キッチンカウンターの上面に形成された矩形開口にコンロ本体１を上方から嵌め込み装着してトッププレート２の周部をキッチンカウンターに載置支持する仕様、いわゆるドロップイン式に構成されたものであり、コンロ本体１に組み付けられたコンロバーナー３がトッププレート２の中央開口に臨んで配備され、また、トッププレート２に五徳４が載置されるようになっている。
【００２８】
トッププレート２は、プレス加工した薄鋼板の表面全体に琺瑯処理が施されたものであり、その前側一部が局部的に膨出されて、ここに斜め前方上方に向かう操作パネル５がトッププレート２と一体に形成されている。
【００２９】
操作パネル５には、バーナー部３の点/消火および火力調節を行う操作部材としての操作つまみ６が左右回動操作可能に装備されると共に、その操作位置を示す操作位置表示装置Ａが以下のように構成されて装備されている。
【００３０】
図３は、操作位置表示装置Ａの正面図である。操作つまみ６は、円形に形成されると共に、その前面に直径方向に沿って直線状につまみ部６ａが突設されており、つまみ部６ａが真上に向かう位置が、バルブ閉じ位置（止）、左方向への回動限界位置がバルブ全開位置（開）となり、操作つまみ６をバルブ閉じ位置からバルブ全開位置に押し回すことで、乾電池を電源とする着火装置が放電作動すると共にバルブが開かれることで着火し、その後、押し戻された操作つまみ６をバルブ閉じ位置とバルブ全開位置の間に回動調節してバルブ開度を加減することで火力の調節を行い、また、操作つまみ６をバルブ閉じ位置に戻すことで消火するようになっている。
【００３１】
操作パネル５における上記バルブ閉じ位置とバルブ全開位置を示す箇所には図５の断面図に示すよう透孔７がそれぞれ形成され、ここに、頭付きボタン状の表示部材８が挿入止着されて、操作つまみ６の操作位置が示されるようになっている。
【００３２】
図４、図８、および、図９に示すように、表示部材８は樹脂材で一体成型したものであり、直径が８〜１０ｍｍ程度の円形に形成された表示ヘッド部９と、表示ヘッド部９より一回り小径の連結軸部１０とを備えており、表示ヘッド部９の表面が表示面となっており、操作位置に応じた「止」又は「開」の表示が、印刷やシールの貼り付けなどによって付され、操作パネル５の透孔７は、連結軸部１０を挿通する大きさの円形孔に形成されている。
【００３３】
連結軸部１０は、略筒状に形成されると共に周方向に４分割され、外周面が円弧面に形成されて互いに背中合わせに対向する一対の円弧部１０ａと、その間に位置して互いに背中合わせに対向する幅広係合片１０ｂと幅狭係合片１０ｃとが備えられている。また、幅広係合片１０ｂおよび幅狭係合部１０ｃの先端部には、外向きの係止爪１０ｄ，１０ｅがそれぞれ備えられている。
【００３４】
幅広係合片１０ｂと幅狭係合片１０ｃの基部には、操作パネル５の板厚よりも大きい高さを有し、かつ、操作パネル５の透孔７より若干小径に設定された座部１０ｆがそれぞれ形成されており、各座部１０ｆが透孔７に嵌入することで表示部材８が透孔７の中心に位置決めされる。
【００３５】
操作パネル５の裏面側には、透孔７に挿入された連結軸部１０を係止連結して、表示部材８の前面側への抜け出しを阻止する支持部材１１が配備される。
【００３６】
この支持部材１１は、図１０〜図１２に示されるように、厚さ２ｍｍ程度のＪ字形板状に樹脂成型されたものであって、湾曲基部と湾曲先端部における裏面が隆起されて円形の厚肉ボス１１ａが形成され、厚肉ボス１１ａのそれぞれに、表示部材８の連結軸部１０を挿入支持する連結孔１２が貫通形成されている。
【００３７】
２箇所の連結孔１２は、同一仕様のものが向きを９０度異ならせて設けられたものであり、その詳細な構造が図４に示されている。すなわち、この透孔１２は、孔軸心方向から見て連結軸部１０における円弧部１０ａより少し大径の円形孔の対角位置に、連結軸部１０における幅広係合片１０ｂおよび幅狭係合片１０ｃの幅に対応した幅の扁平内面１２ｂ，１２ｃを備えた非円形孔に形成され、かつ、その扁平内面１２ｂ，１２ｃの孔端部にそれぞれ段部１３ｂ，１３ｃが凹入形成されている。
【００３８】
そして、表示部材８の連結軸部１０を、操作パネル５の透孔７に前面から挿通した後、幅広係合片１０ｂおよび幅狭係合片１０ｃが連結孔１２の扁平内面１２ｂ，１２ｃに対応するように、パネル裏面側に配備した支持部材１１の連結孔１２に前面から連結軸部１０を挿入することで、連結軸部１０における幅広係合片１０ｂおよび幅狭係合片１０ｃが、内方に押圧変位されながら連結孔１２に押し込まれ、係止爪１０ｄ，１０ｅが段部１３ｂ，１３ｃに至って扁平内面１２ｂ，１２ｃとの当接が解除されることで幅広係合片１０ｂおよび幅狭係合片１０ｃが外方に弾性復元し、図５及びそのｘ−ｘ断面図である図６に示すように、幅広係合片１０ｂおよび幅狭係合片１０ｃの各係止爪１０ｄ，１０ｅがそれぞれ対応する段部１３ｂ，１３ｃに係止されて、表示部材８が前方への抜け出しが阻止された状態で支持部材１１に係止連結される。
【００３９】
そして、表示部材８の連結軸部１０の横断面形状が非円形の幅広係合片１０ｂおよび幅狭係合片１０ｃの扁平外面が連結孔１２の扁平内面１２ｂ，１２ｃにそれぞれ対向係合することで、支持部材１１に対して表示部材８が連結軸部周りに回動することが係合阻止される。
【００４０】
ここで、操作パネル５の２箇所に挿通された表示部材８を係止連結した支持部材１１は操作パネル５に対して向き姿勢が一定姿勢に維持された部材となり、この固定された支持部材１１に回動不能に係合支持された各表示部材８は、勝手に自転して向きが変ることはない。すなわち、連結軸部１０における幅広係合片１０ｂおよび幅狭係合片１０ｃの扁平外面が、支持部材１１の連結孔１２に係合して表示部材８の自転を阻止する回り止め係合部として機能している。
【００４１】
なお、幅の異なる幅広係合片１０ｂと幅狭係合片１０ｃを用いることで、連結孔１２への連結軸部１０を一定の向きでのみ挿入可能となり、「止」および「開」の表示を正しく縦向きにした姿勢で各表示部材８をセットすることができる。
【００４２】
また、支持部材１１の外周部適所には片持ち状の弾性アーム１４が一体形成され、各弾性アーム１４の遊端部が前面側に突出されている。これら弾性アーム１４は、図５に示すように、その遊端部を操作パネル５の裏面に押圧することで、支持部材１１を相対的に操作パネル５の裏面から離れる方向に付勢する付勢手段を構成するものである。
【００４３】
このように、支持部材１１を操作パネル５の裏面から離れる方向に付勢することで、表示部材８を操作パネル５側に引き込み、表示ヘッド９の裏面を操作パネル５の表面に密着させることができ、表示部材８のガタ付きを防止すると共に、表示ヘッド９と操作パネル５との間に油汚れやゴミが入り込み付着することが防止される。
【００４４】
表示部材８を支持部材１１に係止連結した後、幅広係合片１０ｂおよび幅狭係合片１０ｃの係止爪１０ｄ，１０ｅをマイナスドライバーなどの工具を用いて内方に強制移動させて支持部材１１への係止を解除することで、表示部材８と支持部材１１とを分離することができ、損傷あるいは汚損した表示部材８を容易に交換することができる。
【００４５】
また、図示されていないが、操作パネル５の背部には、乾電池の消耗を知らせるＬＥＤランプが配備され、このＬＥＤランプからのモニタ光を操作パネル５の前面に透過する透過部材１５が装着されている。この透過部材１５は、図７に示すように、操作位置表示用の上記表示部材８の表示ヘッド９と同程度の大きさの円形のヘッド部１６と、それより小径の円筒状に形成した連結軸部１７とを備えた透光性の樹脂材で形成されており、操作パネル５に設けた円形の透孔１８に連結軸部１７を挿通し、パネル裏面側において、Ｊ字形に形成された前記支持部材１１における直線部の先端部位で係止連結するようになっている。
【００４６】
つまり、支持部材１１における直線部の先端部位には、図１０〜図１２に示すように、連結軸部１７を挿通する連結孔１９が設けられると共に、その内周の周方向三箇所に、内方に僅かに突出する係止突起２０が設けられている。他方、連結軸部１７の外周には、図７に示すように、一回り大径の係合部２１が設けられており、連結軸部１７を連結孔１９に前方から圧入して、係合部２１を係止突起２０の後方にまで無理越えさせることで、係合部２１が係止突起２０に係止され、これによって透過部材１５の前方への抜け出しが阻止される。また、弾性アーム１４によって操作パネル５から離れる方向に付勢される支持部材１１で透過部材１５をパネル裏面側に引き込むことで透過部材１５のヘッド部１６がパネル表面に密着される。
【００４７】
（他の実施形態）
本発明は、以下のような形態で実施することもできる。
【００４８】
（１）上記実施形態では、連結軸部１０に幅広係合片１０ｂと幅狭係合片１０ｃを弾性変形可能に備えて支持部材１１に係止させる構造としているが、逆に、支持部材１１に弾性変形可能な係合片を一体形成し、この係止片を連結軸部１０の外周に形成した段部に係止させる形態を利用することもできる。
【００４９】
（２）透過部材１５を、操作位置を示す表示部材８と別に専用の支持部材を用いて係止連結したり、別の支持手段で固定してもよい。
【００５０】
（３）本発明の操作位置表示装置Ａは、ガスコンロのみならずガス湯沸し器、ガスオーブン、ガスストーブなどの種々のガス器具に適用することができ、また、その表示も「止」、「開」に限らず、操作位置に応じて、例えば、「高」、「低」、「多」、「少」等の各種の表示に適用できるものである。
【００５１】
（４）また、本発明の操作位置表示装置Ａを、操作パネルに操作つまみやスライドノブなどの操作部材を装備した家庭用の機器に適用することも可能である。
【符号の説明】
【００５２】
５              操作パネル
６              操作部材（操作つまみ）
７              透孔
８              表示部材
１０            連結軸部
１１            支持部材
１４            弾性アーム
【図１】
0005819719.tif 000002
【図２】
0005819719.tif 000003
【図３】
0005819719.tif 000004
【図４】
0005819719.tif 000005
【図５】
0005819719.tif 000006
【図６】
0005819719.tif 000007
【図７】
0005819719.tif 000008
【図８】
0005819719.tif 000009
【図９】
0005819719.tif 000010
【図１０】
0005819719.tif 000011
【図１１】
0005819719.tif 000012
【図１２】
0005819719.tif 000013